(57)【要約】【課題】内蔵する回路基板の種類を確実に確認できる電気接続箱の提供。【解決手段】ハウジング２内に、回路基板１２を有する接続部本体３が収容された電気接続箱１。接続部本体３に、識別情報表示６が形成されている。ハウジング２には、識別情報表示６を視認可能な開口部７が形成されている。開口部７には、これを閉止する閉止板部１６を有する蓋部１５が設けられている。閉止板部１６は、識別情報表示６を透視可能に形成されている。【選択図】図１
2010074984.tif 000002
【特許請求の範囲】
【請求項１】
ハウジング（２）内に、回路基板（１２）を有する接続部本体（３）が収容された電気接続箱であって、
前記接続部本体に、前記回路基板に応じた識別情報表示（６）が形成され、
前記ハウジングには、前記識別情報表示を視認可能な開口部（７）が形成され、
前記開口部に、これを閉止する閉止板部（１６）を有する蓋部（１５）が設けられ、
前記閉止板部は、前記識別情報表示を透視可能に形成されていることを特徴とする電気接続箱（１）。
【請求項２】
前記ハウジングには、前記開口部を囲んで前記回路基板に向けて延出する筒状延出部（８）が形成され、
前記閉止板部に、前記筒状延出部内を前記回路基板に向けて延出する蓋部延出部（１７）が形成されていることを特徴とする請求項１に記載の電気接続箱。
【請求項３】
前記蓋部延出部には、前記筒状延出部に形成されたハウジング係合部（９）に係合可能な蓋部係合部（１８）が形成されていることを特徴とする請求項２に記載の電気接続箱。
【請求項４】
前記蓋部係合部は、前記蓋部延出部から突出して形成された爪部であることを特徴とする請求項３に記載の電気接続箱。
【請求項５】
前記閉止板部は、前記開口部内に配置されていることを特徴とする請求項１〜４のうちいずれか１項に記載の電気接続箱。
【発明の詳細な説明】
【技術分野】
【０００１】
本発明は、例えば自動車のワイヤーハーネスの分岐接続などに使用可能な電気接続箱に関する。
【背景技術】
【０００２】
自動車等においてワイヤーハーネスを種々の電装品に分岐接続されるのに用いられる電気接続箱は、分岐接続点を一箇所に集中させ、配線を合理的かつ経済的に分岐接続するものである（例えば特許文献１参照）。
電気接続箱は、ワイヤーハーネスを内部回路にコネクタ接続できるように構成されている。
電気接続箱内の回路は、金属板からなるバスバーによって形成したものが一般的であるが、近年では、回路の一部または全部を配線基板（回路基板）で構成することが提案されている。
回路基板は、適用先、例えば自動車の車種やグレード（具体的には、電装品の数や性能の違いなど）に合わせて多種類を用意するのが容易であるという利点がある。
回路基板を識別するための情報は、電気接続箱のハウジングの外面に貼付されたステッカーなどに表示される。
【特許文献１】特開２００７−４３８１０号公報
【発明の開示】
【発明が解決しようとする課題】
【０００３】
しかしながら、従来の電気接続箱では、識別情報表示となるステッカー等の脱落や汚損によって、内蔵する回路基板の種類を確認することができなくなるおそれがあった。
本発明は、前記事情に鑑みてなされたもので、内蔵する回路基板の種類を外部から確実に確認できる電気接続箱の提供を目的とする。
【課題を解決するための手段】
【０００４】
本発明の請求項１にかかる電気接続箱は、ハウジング内に、回路基板を有する接続部本体が収容された電気接続箱であって、前記接続部本体に、前記回路基板に応じた識別情報表示が形成され、前記ハウジングには、前記識別情報表示を視認可能な開口部が形成され、前記開口部に、これを閉止する閉止板部を有する蓋部が設けられ、前記閉止板部は、前記識別情報表示を透視可能に形成されていることを特徴とする。
本発明の請求項２にかかる電気接続箱は、請求項１において、前記ハウジングに、前記開口部を囲んで前記回路基板に向けて延出する筒状延出部が形成され、前記閉止板部に、前記筒状延出部内を前記回路基板に向けて延出する蓋部延出部が形成されていることを特徴とする。
本発明の請求項３にかかる電気接続箱は、請求項２において、前記蓋部延出部に、前記筒状延出部に形成されたハウジング係合部に係合可能な蓋部係合部が形成されていることを特徴とする。
本発明の請求項４にかかる電気接続箱は、請求項３において、前記蓋部係合部が、前記蓋部延出部から突出して形成された爪部であることを特徴とする。
本発明の請求項５にかかる電気接続箱は、請求項１〜４のうちいずれか１項において、前記閉止板部が、前記開口部内に配置されていることを特徴とする。
【発明の効果】
【０００５】
本発明によれば、ハウジングに、識別情報表示を視認できる開口部が形成されているので、回路基板の種類を外部から確実に確認できる。
さらに、開口部に蓋部が設けられているので、ハウジング内への塵埃などの異物侵入を阻止し、回路基板において導電層の短絡などのトラブルを防ぐことができる。また、塵埃などにより識別情報表示の視認性が低下するのを長期間にわたり防止できる。
蓋部は透視可能な材料からなるため、識別情報表示の確認に支障が生じることはない。
識別情報表示は、ハウジングに収容された接続部本体に形成されているため、外力により脱落したり汚損することはない。
従って、回路基板が多種類にわたる場合でも、確実な品番管理が可能となる。
【発明を実施するための最良の形態】
【０００６】
以下、図１および図２を参照して本発明の実施形態を説明する。
図１は、本発明にかかる電気接続箱の一例である電気接続箱１の要部を模式的に示す断面図である。図２は、電気接続箱１の概略構成を示す模式図である。
図２に示すように、電気接続箱１は、ハウジング２内に接続部本体３が収容された構成であり、接続部本体３は、基板部４と、基板部４表面に設けられた端子部５とを有する。
【０００７】
図示例の基板部４は、絶縁板１１の両面に、それぞれ回路基板１２、１２が設けられた構成とされている。
回路基板１２は、例えばプリント配線板であり、ポリイミド、ガラスエポキシ等の絶縁材料からなる基材１３の表面に、銅合金などからなる導電層１４が、用途に応じた配線をなすように形成されている。
導電層１４は、金属層を形成した後、エッチングなどにより所定の配線パターンをなすように形成することができる。なお、導電層１４の一部を、打ち抜きにより作製される金属板（バスバー）で構成することも可能である。
【０００８】
図１に示すように、回路基板１２の表面１２ａには、回路基板１２の種類に応じた識別情報表示６が形成されている。
識別情報表示６は、例えば樹脂や紙などからなるシート体であって、表面１２ａに貼り付け固定されている。
識別情報表示６には、文字や図形等からなる識別情報が印刷等により視認可能に記入されている。識別情報は、例えばこの回路基板１２が適用される自動車の車種やグレードを示す文字やバーコードなどとすることができる。識別情報は、具体的には、例えば電装品の数や性能の違いなどを示すものである。
【０００９】
なお、識別情報表示６は、識別情報を表示するものであればよく、その態様は図示例に限定されず、例えば識別情報を印刷などにより接続部本体３に直接形成することによって識別情報表示としてもよい。
識別情報表示６の形成位置は、回路基板１２に限らず、接続部本体３の他の部分であってもよい。
【００１０】
図２に示すように、端子部５は、銅合金などの金属板からなり、回路基板１２の導電層１４に接続されており、回路基板１２の表面から突出して形成されている。端子部５は、半田付けなどにより回路基板１２に実装できる。
【００１１】
ハウジング２は、上側ハウジング１９（カバーハウジング）と、下側ハウジング２０（ベースハウジング）とを組み合わせた構成とされている。
上側ハウジング１９は、合成樹脂などからなり、基板部４にほぼ平行な上板部２１と、その周縁から垂下する側板部２２と、上板部２１の上面から上方に突出して形成された筒状のコネクタ接続部２３と有し、接続部本体３を収容できるように形成されている。
コネクタ接続部２３内に相当する部分の上板部２１には、端子部５が挿通する挿通孔２４が形成されており、コネクタ接続部２３に挿入されたプラグコネクタ（図示略）が端子部５に接続できるようになっている。
【００１２】
下側ハウジング２０は、下板部２６と、その下面から下方に突出して形成された筒状のコネクタ接続部２７とを有し、コネクタ接続部２７内に相当する部分の下板部２６には、端子部５が挿通する挿通孔２８が形成されており、コネクタ接続部２７に挿入されたプラグコネクタ（図示略）が端子部５に接続できるようになっている。
【００１３】
図１に示すように、ハウジング２には、回路基板１２の識別情報表示６に相当する位置に、開口部７が形成されている。図示例では、開口部７は、上側ハウジング１９の上板部２１に形成されている。
開口部７は、識別情報を確認するためのもので、識別情報表示６に形成された識別表示の必要箇所または全体を視認できるような大きさおよび形状となるよう形成されている。開口部７の形状は特に限定されず、矩形、円形などとしてよい。
図示例では、開口部７の周縁内面７ｂは、下方（回路基板１２に近づく方向）に向けて内方（縮径方向）に傾斜した傾斜面となっている。
【００１４】
上板部２１には、開口部７の周縁部７ａから下方に（すなわち回路基板１２に向けて）延出する筒状延出部８が形成されている。筒状延出部８は、上板部２１に対しほぼ垂直とすることができる。
筒状延出部８は、開口部７の形状に合わせて、矩形筒状、円筒状などとすることができる。筒状延出部８の延出端８ａは、回路基板１２の近傍に達していることが望ましい。
なお、図示例では、筒状延出部８は周縁部７ａに形成されているが、筒状延出部８は開口部７を囲む位置から延出して形成されていればよく、周縁部７ａより外方の位置に形成することもできる。
【００１５】
筒状延出部８には、後述する蓋部係合部１８が係合するハウジング係合部９が形成されている。ハウジング係合部９は、例えば蓋部係合部１８が係合する凹部や孔部であり、図示例では、筒状延出部８の下部に形成された凹状の切り欠きである。
なお、ハウジング係合部９は、筒状延出部８の内面に形成された凹部であってもよい。
【００１６】
開口部７には、これを閉止する蓋部１５が設けられている。
蓋部１５は、開口部７を塞ぐ閉止板部１６と、閉止板部１６から延出する蓋部延出部１７とを備えている。
蓋部１５は、少なくとも閉止板部１６が、識別情報表示６を透視できる程度の透明性を有する材料からなる。この透明材料としては、例えばアクリル樹脂、ポリカーボネート樹脂が挙げられる。
【００１７】
閉止板部１６は、開口部７に即した形状とされている。図示例では、周縁外面１６ａは下方（回路基板１２に近づく方向）に向けて内方（縮径方向）に傾斜した傾斜面となっている。
周縁外面１６ａは、開口部７の周縁内面７ｂに沿って形成するのが好ましい。図示例では、周縁外面１６ａは周縁内面７ｂに隙間なく当接している。閉止板部１６の最大外形寸法（図１における左右方向の寸法）は、筒状延出部８の内径より大きいことが好ましい。
周縁内面７ｂおよび周縁外面１６ａは、筒状延出部８の軸方向（図１における上下方向）に対し傾斜しているため、これらの隙間も傾斜方向に沿うものとなることから、この隙間からの異物の侵入が起こりにくくなる。
【００１８】
図示例の閉止板部１６は、開口部７内に配置されており、その外面１６ｂは上板部２１の外面とほぼ面一となっているため、この部分がハウジング２の外面凹凸になることはない。
【００１９】
蓋部延出部１７は、閉止板部１６の下面から、筒状延出部８内において下方（回路基板１２に近づく方向）に延出するように形成されている。蓋部延出部１７の形状は、筒状としてもよいし、周方向に不連続な形状としてもよい。
図示例の蓋部延出部１７は、閉止板部１６に対しほぼ垂直に延出する筒状に形成され、その外径は、筒状延出部８の内径とほぼ同じか、またはこの内径よりやや小さくされている。
筒状延出部８内に延出する蓋部延出部１７によって、蓋部１５の傾動を規制し、蓋部１５の姿勢を安定化することができる。
【００２０】
蓋部延出部１７の外面には、ハウジング係合部９に係合可能な蓋部係合部１８が形成されている。
蓋部係合部１８は、ハウジング係合部９に挿入されて係止する爪部であり、蓋部延出部１７の外面から径方向外方に突出して形成することができる。
図示例では、蓋部係合部１８は、水平（閉止板部１６に沿う方向）な上面１８ａと、下方に向け内方に傾斜する下面１８ｂとを有する断面略三角形状とされている。蓋部係合部１８は、上面１８ａがハウジング係合部９の内縁９ａに当接して上方移動が阻止された状態でハウジング係合部９に係止している。
【００２１】
蓋部係合部１８がハウジング係合部９に係合することによって、蓋部１５がハウジング２から外れるのを確実に防止できる。
蓋部係合部１８は、筒状延出部８のハウジング係合部９に係合可能であるため、蓋部延出部１７が筒状延出部８に対し位置決めされることから、蓋部１５のがたつきを抑え、その姿勢を安定させることができる。
【００２２】
蓋部１５は、蓋部延出部１７を筒状延出部８に挿入し、蓋部係合部１８をハウジング係合部９に係合させることによって容易に設置できる。
蓋部係合部１８は、下面１８ｂが傾斜面であるため、蓋部延出部１７を筒状延出部８に挿入するのが容易となる。
【００２３】
なお、図示例では凸部である蓋部係合部１８が凹部であるハウジング係合部９に挿入されて係止するが、逆に、凸部であるハウジング係合部が、凹部である蓋部係合部に挿入されて係止する構造を採用してもよい。
【００２４】
この電気接続箱１では、ハウジング２に、識別情報表示６を視認できる開口部７が形成されているので、回路基板１２の種類を外部から確実に確認できる。
開口部７には、これを閉止する蓋部１５が設けられているので、塵埃などの異物が開口部７を通してハウジング２内に侵入するのを防ぎ、回路基板１２において異物を原因とする導電層１４の短絡などのトラブルを防ぐことができる。
また、ハウジング２内への塵埃などの侵入を阻止できるため、識別情報表示６の視認性が低下するのを長期間にわたり防止できる。
蓋部１５は、透視可能な材料からなるため、識別情報表示６の確認に支障が生じることはない。
また、識別情報表示６は、ハウジング２に収容された回路基板１２に形成されているため、外力により脱落したり汚損することはない。さらに、蓋部１５によって識別情報表示６を保護し、汚れの付着や破損を確実に防止できる。
従って、回路基板が多種類にわたる場合でも、確実な品番管理が可能となる。
【００２５】
なお、開口部７の形成位置は、識別情報表示６を確認できるものであれば、上板部２１に限らず、側板部２２であってもよい。また、ハウジング２の他の位置、例えば下側ハウジング２０の下板部２６に開口部７を形成することもできる。
【図面の簡単な説明】
【００２６】
【図１】本発明の電気接続箱の一例の要部を模式的に示す断面図である。
【図２】本発明の電気接続箱の一例の構造を示す概略構成図である。
【符号の説明】
【００２７】
１・・・電気接続箱、２・・・ハウジング、３・・・接続部本体、６・・・識別情報表示、７・・・開口部、７ａ・・・周縁部、８・・・筒状延出部、９・・・ハウジング係合部、１２・・・回路基板、１５・・・蓋部、１６・・・閉止板部、１７・・・蓋部延出部、１８・・・蓋部係合部。
【図１】
2010074984.tif 000003
【図２】
2010074984.tif 000004